(57)【要約】      （修正有）【課題】実銃との近似性を損なうことなく、落下させても安全装置が解除されない玩具銃を提供する。【解決手段】玩具銃１１に設けられるフレーム１３と、玩具銃１１に取り付けられるトリガー３１と、トリガー３１の作動に連動するシアーと、シアーの作動と連動することでガスボンベ内のガスを噴出し弾を発射するハンマー５１と、フレーム１３の外側にフレーム１３と間隔を空けて設置するとともに、シアーとの接触及び非接触を選択可能なセフティレバー２１と、フレーム１３とセフティレバー２１との間隔を維持する方向に付勢する付勢手段とを備える。セフティレバー２１が、シアーと接触したときは、セフティはオン状態をとり、セフティレバー２１が、シアーとの非接触をとるときは、セフティはオフ状態をとる。【選択図】図１
2019184084.tif 000002
【特許請求の範囲】
【請求項１】
玩具銃に設けられるフレームと、
玩具銃に取り付けられるトリガーと、
トリガーの作動に連動するシアーと、
シアーの作動と連動することでボンベ内のガスを噴出し弾を発射するハンマーと、
フレームの外側にフレームと間隔を空けて設置するとともに、連動するトリガーからハンマーまでのいずれかの部材との接触及び非接触を選択可能なセフティレバーと、
フレームとセフティレバーとの間隔を維持する方向に付勢する付勢手段と、
を備える玩具。
【請求項２】
連動するトリガーからハンマーまでのいずれかの部材が、シアーである請求項１に記載の玩具銃。
【請求項３】
セフティレバーをフレーム両側に設ける請求項１又は請求項２のいずれかに記載の玩具銃。
【発明の詳細な説明】
【技術分野】
【０００１】
本発明は、玩具銃に係る。詳細には、エアガン（空気銃）、更に詳細には、エアガンに用いられる安全装置（マニュアルセフティ）に係る。
【背景技術】
【０００２】
エアガンに用いられる安全装置（マニュアルセフティ）としては、特許文献１記載の「玩具空気銃の安全装置」が知られている。
特許文献１記載の「玩具空気銃の安全装置」は、「スプリングによって銃前方に回動する付勢力を付与されたハンマと、このハンマを上記付勢力に抗して後方に一定角度回動された状態でロックするシアーと、先端にインパクトハンマを回動自在に備えたインパクトフレームとを有し、銃本体に設けた引き金を引くことにより、予め起こされロックされたハンマが所定の位置に戻る際に、インパクトハンマを介してガス蓄圧室の放出バルブが開けられて弾丸発射通路内にガスが噴出し、そこに装填された弾丸を発射させる機構の玩具空気銃において、弾丸発射可能状態では上記インパクトハンマが放出バルブに当接しているが、弾丸発射中止時には上記インパクトハンマの放出バルブとの当接を解除するようにした。」からなる。
【０００３】
マニュアルセフティは、オートマチック・ハンドガンに設けられることのある手動安全装置である。マニュアルセフティに設けられているレバー（セフティレバー）を回動させてマニュアルセフティをオン状態にする（安全装置を作動させる）と、マニュアルセフティがシアーと係合する。そうすると、トリガーと直結しているトリガーバーがシアーに当接して動かなくなり、ハンマーが動かず弾丸は発射されなくなり、予期しない暴発を防ぐ仕組みである。このマニュアルセフティは、実銃、および、実銃を模した玩具銃（以下「玩具銃」）に採用される。
実銃のマニュアルセフティと異なり、従来の玩具銃のマニュアルセフティは、落下させるとその衝撃で回動してしまいマニュアルセフティがオフになる（安全装置が解除される）ため、安全性が低かった。
【０００４】
玩具銃を米国で販売する際には、米国の規則に定められた「落下テスト」をパスする必要があり、同「落下テスト」には、「落下の衝撃によって、マニュアルセフティがオン状態からオフ状態にならないこと」との項目がある。
落下テストは、玩具銃の落下方向を変え、６方向の向きで、３６インチの高さから落下させる。すなわち、銃の上を上に向けて落下、銃の上を下に向けて落下、銃口を下にして落下、銃口を上にして落下、銃の右側を上にして落下、銃の左側を上にして落下の６方向である。
【０００５】
銃の右側を上にして落下、銃の左側を上にして落下の、セフティレバーが下側になる様に落下させた時、玩具銃の重量と落下の衝撃のほとんどが、セフティレバーにかかる。この時、セフティレバーがロックされていないと、セフティレバーがオン状態からオフ状態へ動いてしまう場合がある。
すなわち、セフティレバーが下側になる向きで落下させた時、従来の玩具銃は、セフティレバーが最も低い位置にある為、セフティレバーが最初に地面に接触する。
セフティレバーが最初に地面に接触した時、セフティレバーの軸が完全に垂直であれば、セフティは動かない。
しかし、実際にはセフティレバーの軸が完全に垂直に落下することはまれで、たいてい少しはセフティレバーの軸は垂直よりずれて、若干斜めの状態でセフティレバーは地面に接触する。
この時、セフティレバーの軸の斜めになる向きによっては、セフティレバーを解除する向きに力のベクトルが生じる場合がある。
この力の大きさが、セフティレバーを保持する力よりも大きくなった時、セフティレバーは解除されてしまう。
【０００６】
そこで、従来の玩具銃では、セフティレバーがオン状態のときマニュアルセフティが誤って解除されないよう、セフティレバーをロックし、マニュアルセフティの回動を防ぐ図３９等に図示するセフティロック解除ボタン１０４という部品を設けた。
１０１は、従来の玩具銃、１０２は同グリップ部である。１０３は、同セフティレバーである。
すなわち、従来の玩具銃では、セフティロック解除ボタン１０４を押している間だけセフティのロックは解除される。そのため、セフティをオン状態からオフ状態にする際は、セフティロック解除ボタン１０４を押し、セフティレバー１０３のロックを解除する。
次に、図４０に図示するように、セフティロック解除ボタン１０４を押したままセフティレバー１０３を矢印方向に押し下げる。
すなわち、セフティをオフにするためには、セフティロックを押し込みながらセフティレバーを回動させるという操作を要した。
【０００７】
セフティレバー１０３は、従来の玩具銃１０１の中心に設けられるフレーム１０１１の片側に設ける。図４１、図４２に図示する１０３１は、セフティレバー軸である。セフティレバー軸１０３１を回転軸として、セフティレバー１０３は回転する。１０３２は、シアー係止部である。セフティレバー１０３を回動させてシアー係止部１０３２がシアー１２１と係合することにより、シアー１２１の回転が係止される（マニュアルセフティのオン状態）。
１０３３は、セフティレバー１０３に設けられた、セフティロック解除ボタン１０４およびセフティのオン状態時にセフティロックが入る空間である。１０４４は、セフティレバー１０３をフレーム１０１１に取り付けるセフティクリックがセフティオフ時に入る凹部である。
図４６、図４８、及び図５１に図示する、１０５はセフティロック、１０６セフティロックスプリングである。
【０００８】
図４３に、従来例に係る玩具銃のセフティがオン状態の左側面断面図を図示するように、図４４に、従来例に係る玩具銃のトリガー、トリガースプリング、トリガーバー、トリガーバースプリング、シアー、ハンマーの左側斜視図を図示するように、また、図４９に、従来例に係る玩具銃のセフティオフ状態の左側面断面図を図示するような構造から、従来の玩具銃１０１はなる。
すなわち、１１１は、従来の玩具銃のトリガーである。１１２はトリガースプリング、１１３はトリガーバー、１１４はトリガーバースプリング（図示せず）、１１５はトリガーバー連結ピン、１１６はトリガーバーのシアー押し部である。
１２１は、従来の玩具銃のシアーである。１２２はシアー軸、１２３はシアー１２１のハンマー係止部、１２４はシアー１２１のトリガーバー係合部、１２５はシアー１２１のセフティ係合部である。
１３１は、従来の玩具銃のハンマーである。１３２はハンマー軸、１３３はハンマースプリング、１３４はハンマー１３１のシアー係合部である。
【０００９】
図４４に図示するように、従来の玩具銃１０１においては、トリガー１１１とトリガーバー１１３は、トリガーバー連結ピン１１５により連結される。トリガー１１１はトリガースプリング１１２により玩具銃１０１前方へ付勢されている。トリガー１１１を引くと、トリガー１１１とトリガーバー１１３は、一緒に後方へ直線的に移動可能である。トリガーバー１１３は、トリガーバースプリング１１４（図示せず）により、図４４図中反時計回転方向に付勢されている。
シアー１２１は、シアー軸１２２を中心に回動可能である。シアー１２１は、シアースプリング（図示せず）により図４４図中時計回転方向に付勢されている。
ハンマー１３１は、ハンマー軸１３２を中心に回動可能である。ハンマー１３１は、ハンマースプリング１３３により図４４図中反時計回転方向に付勢されている。
【００１０】
図４３、図４４に図示するように、マニュアルセフティがオン状態の場合、セフティレバー１０３のシアー係止部１０３２と、シアー１２１のセフティ係合部１２５は係合している。そのため、トリガー１１１を引いても、トリガーバー１１３のシアー押し部１１６が、シアー１２１のトリガーバー係止部を押すことができない。
そのため、シアー１２１は回動できないため、ハンマー１３１も回動しない。その為、弾を発射できない。
【００１１】
図４５、図４６に図示するように、マニュアルセフティがオン状態でセフティロック１０５がオン状態の場合、セフティロック１０５は、セフティロックスプリング１０６により図４６図中左側に付勢されている。
そのため、セフティロック１０５は、セフティロック解除ボタン１０４を同図中左側に押している。セフティロック解除ボタン１０４は、セフティレバー１０３に引っ掛かり、止まっている。セフティロック１０５の一部が、セフティレバー１０３の中に入り込んでいるため、この状態では、セフティレバー１０３は動かない。
【００１２】
図４７、図４８に図示するように、マニュアルセフティがオン状態で、セフティロック解除ボタン１０４を押した状態では、セフティロック解除ボタン１０４を押すとセフティロック１０５が、セフティレバー１０３から外れる。そのため、セフティレバー１０３を動かすことができる。
【００１３】
図４９、図５０、図５１に図示するマニュアルセフティがオフ状態では、セフティレバー１０３のシアー係止部１０３２は係合していないため、トリガー１１１を引くと、図４４に図示するようにトリガー１１１とトリガーバー１１３が玩具銃１０１後方側へ動き、トリガーバー１１３のシアー押し部１１６が、シアー１２１のトリガーバー係合部１２４を押すことができる。
【００１４】
マニュアルセフティがオフ状態で、トリガー１１１を引いていないと、シアー１２１のハンマー係止部１２３が係合しているため、ハンマー１３１は、静止している。
次いで、トリガー１１１を引くと、トリガー１１１とトリガーバー１１３が玩具銃１０１後方へ直線的に移動する。トリガーバー１１３のシアー押し部１１６がシアー１２１のトリガーバー係合部１２４を押す。
なお、このとき、マニュアルセフティがオフ状態であるため、セフティレバー１０３のシアー係止部１０３２とシアー１２１のセフティ係合部１２５は係合していない。すると、シアー１２１がシアー軸１２２を中心に反時計方向へ回動する。すると、シアー１２１のハンマー係止部１２３とハンマー１３１のシアー係合部１３４の係合が解かれ、ハンマー１３１はハンマー軸１３２を中心に反時計方向へ回動可能となる。
【００１５】
ハンマー１３１が回動すると、ハンマー１３１のヒットピン押圧部１３５が、ヒットピン１４１を玩具銃１０１前方へ移動させる。ヒットピン１４１は、バルブ１４２を玩具銃１０１前方へ移動させる。
バルブ１４２が玩具銃１０１前方に移動し、バルブ１４２のパッキン密着部１４３とパッキン１４４との密着が解かれると、ボンベ１５１内のガスは、バルブ１４２のガス通路１４５内へ流入する。
ガスがバルブ１４２のガス通路１４５内へ流入するとガスはノズル１６１を玩具銃１０１前方へ移動させる。ノズル１６１は、１発目の弾Ｗをインナーバレル１６２内に移動させる。更に、ガスはインナーバレル１６２内に移動した１発目の弾Ｗを玩具銃１０１前方に移動させる。
以下、２発目の弾Ｗの発射位置への装填まで順次進行する。
【先行技術文献】
【特許文献】
【００１６】
【特許文献１】特開平１０−２２０９９３公報
【発明の概要】
【発明が解決しようとする課題】
【００１７】
しかしながら、セフティロックは実銃にはない部品であるから、セフティロックが設けられている玩具銃は実銃との外観の近似性が損なわれてしまう。実銃との外観の近似性の高さが商品価値を決する玩具銃においては、セフティロックのような部品が設けられることは、決して好ましいものではないし、操作方法も実銃と異なるため、商品価値が損なわれかねない。そこで、外観形状および操作方法を実銃により近似させるため、本件発明がなされたものである。
【００１８】
本発明の目的は、セフティロックのような部品を設けることなく、マニュアルセフティをオン状態にしている状態においては、たとえ落下させたとしてもその衝撃でマニュアルセフティがオフ状態になることがないよう安全性が確保された玩具銃に設けられる手動安全装置の提供である。
これは、銃を落下させたとしてもマニュアルセフティが移動して銃内部のフレームと干渉することによって回動が妨げられ、マニュアルセフティが解除されることがない、を実現するものである。
【課題を解決するための手段】
【００１９】
この発明の玩具銃は、
玩具銃に設けられるフレームと、
玩具銃に取り付けられるトリガーと、
トリガーの作動に連動するシアーと、
シアーの作動と連動することでボンベ内のガスを噴出し弾を発射するハンマーと、
フレームの外側にフレームと間隔を空けて設置するとともに、連動するトリガーからハンマーまでのいずれかの部材との接触及び非接触を選択可能なセフティレバーと、
フレームとセフティレバーとの間隔を維持する方向に付勢する付勢手段と、
を備える。
【００２０】
この発明の玩具銃は、更に、
連動するトリガーからハンマーまでのいずれかの部材が、シアーである。
【００２１】
この発明の玩具銃は、更に、
セフティレバーをフレーム両側に設ける。
【発明の効果】
【００２２】
本発明によれば、
外観や操作方法など、実銃との近似性を損なうことなく、テスト等により落下させても安全装置が解除されない玩具銃が実現できる。これにより玩具銃の商品価値を高めることができる。
【図面の簡単な説明】
【００２３】
【図１】この発明の実施の形態に係る実施例に係る玩具銃のセフティがオン状態の左側面図である。
【図２】この発明の実施の形態に係る実施例に係る玩具銃のセフティがオン状態の左側面図である。
【図３】この発明の実施の形態に係る実施例に係る玩具銃のセフティがオフ状態の右側面図である。
【図４】この発明の実施の形態に係る実施例に係る玩具銃のセフティがオフ状態の右側面図である。
【図５】この発明の実施の形態に係る実施例に係る玩具銃のセフティがオフ状態の左側面断面図である。
【図６】この発明の実施の形態に係る実施例に係る玩具銃のトリガー、トリガースプリング、トリガーバー、シアー、ハンマーをあらわす右側斜視図である。
【図７】この発明の実施の形態に係る実施例に係る玩具銃のトリガー、トリガースプリング、トリガーバー、シアー、ハンマーをあらわす左側斜視図である。
【図８】この発明の実施の形態に係る実施例に係る玩具銃のセフティレバー左単体の表側斜視図である。
【図９】この発明の実施の形態に係る実施例に係る玩具銃のセフティレバー左単体の裏側斜視図である。
【図１０】この発明の実施の形態に係る実施例に係る玩具銃のセフティレバー右単体の表側斜視図である。
【図１１】この発明の実施の形態に係る実施例に係る玩具銃のセフティレバー右単体の裏側斜視図である。
【図１２】この発明の実施の形態に係る実施例に係る玩具銃のシアー単体の斜視図である。
【図１３】この発明の実施の形態に係る実施例に係る玩具銃のセフティ部分の部品展開図である。
【図１４】この発明の実施の形態に係る実施例に係る玩具銃のセフティフックの裏側斜視図である。
【図１５】この発明の実施の形態に係る実施例に係る玩具銃のフレームの左側面図である。
【図１６】この発明の実施の形態に係る実施例に係る玩具銃のフレームの右側面図である。
【図１７】この発明の実施の形態に係る実施例に係る玩具銃のセフティがオン状態のセフティレバーの部分拡大図である。
【図１８】この発明の実施の形態に係る実施例に係る玩具銃の図１７のＡＡ拡大断面図である。
【図１９】この発明の実施の形態に係る実施例に係る玩具銃のセフティがオン状態の左側面の部分拡大図である。
【図２０】この発明の実施の形態に係る実施例に係る玩具銃セフティがオン状態の部分断面図であって図１９のＢＢ拡大断面図である。
【図２１】この発明の実施の形態に係る実施例に係る玩具銃のセフティがオン状態の右側面の部分拡大図である。
【図２２】この発明の実施の形態に係る実施例に係る玩具銃のセフティがオン状態のセフティレバー左、セフティレバー右、シアー、ハンマーをあらわした平面図である。
【図２３】図２２のＡＡ断面図であって、この発明の実施の形態に係る実施例に係る玩具銃のセフティがオン状態のセフティレバー左、セフティレバー右、シアー、ハンマーをあらわした右側断面図である。
【図２４】図２２のＢＢ断面図であって、この発明の実施の形態に係る実施例に係る玩具銃のセフティがオン状態のセフティレバー左、セフティレバー右、シアー、ハンマーをあらわした左側断面図である。
【図２５】この発明の実施の形態に係る実施例に係る玩具銃のセフティがオン状態の時にセフティレバー左が玩具銃内側へ移動した状態の部分拡大図である。
【図２６】この発明の実施の形態に係る実施例に係る玩具銃のセフティがオン状態の時にセフティレバー左が玩具銃内側へ移動した状態の部分断面図であって図２５のＡＡ拡大断面図である。
【図２７】この発明の実施の形態に係る実施例に係る玩具銃のセフティがオン状態の時にセフティレバー左が玩具銃内側へ移動した状態の左側面の部分拡大図である。
【図２８】この発明の実施の形態に係る実施例に係る玩具銃のセフティがオン状態の時にセフティレバー左が玩具銃内側へ移動した状態の部分断面図であって図２７のＡＡ拡大断面図である。
【図２９】この発明の実施の形態に係る実施例に係る玩具銃のセフティがオン状態の時にセフティレバー右が玩具銃内側へ移動した状態の部分拡大図である。
【図３０】この発明の実施の形態に係る実施例に係る玩具銃のセフティがオン状態の時にセフティレバー右が玩具銃内側へ移動した状態の部分断面図であって図２９のＡＡ拡大断面図である。
【図３１】この発明の実施の形態に係る実施例に係る玩具銃のセフティがオン状態の時にセフティレバー右が玩具銃内側へ移動した状態の右側面の部分拡大図である。
【図３２】この発明の実施の形態に係る実施例に係る玩具銃のセフティがオン状態の時にセフティレバー右が玩具銃内側へ移動した状態の部分断面図であって図３１のＢＢ拡大断面図である。
【図３３】この発明の実施の形態に係る実施例に係る玩具銃のセフティがオフ状態の左側面の部分拡大図である。
【図３４】この発明の実施の形態に係る実施例に係る玩具銃セフティがオフ状態の部分断面図であって図３３のＡＡ拡大断面図である。
【図３５】この発明の実施の形態に係る実施例に係る玩具銃のセフティがオフ状態の右側面の部分拡大図である。
【図３６】この発明の実施の形態に係る実施例に係る玩具銃のセフティがオフ状態のセフティレバー左、セフティレバー右、シアー、ハンマーをあらわした平面図である。
【図３７】図３６のＣＣ断面図であって、この発明の実施の形態に係る実施例に係る玩具銃のセフティがオフ状態のセフティレバー左、セフティレバー右、シアー、ハンマーをあらわした右側断面図である。
【図３８】図３６のＤＤ断面図であって、この発明の実施の形態に係る実施例に係る玩具銃のセフティがオフ状態のセフティレバー左、セフティレバー右、シアー、ハンマーをあらわした左側断面図である。
【図３９】従来例に係る玩具銃のセフティレバーがオン状態で、セフティロックがオン状態の左側面図である。
【図４０】従来例に係る玩具銃のセフティがオフ状態の一部拡大斜視図である。
【図４１】従来例に係る玩具銃のセフティレバーの表側斜視図である。
【図４２】従来例に係る玩具銃のセフティレバーの裏側斜視図である。
【図４３】従来例に係る玩具銃のセフティがオン状態の左側面断面図である。
【図４４】従来例に係る玩具銃のトリガー、トリガースプリング、トリガーバー、トリガーバースプリング、シアー、ハンマーの左側斜視図である。
【図４５】従来例に係る玩具銃のセフティがオン状態、セフティロックがオン状態の左側面一部拡大図である。
【図４６】従来例に係る玩具銃の図４５のＡＡ断面図である。
【図４７】従来例に係る玩具銃のセフティがオン状態で、セフティロック解除ボタンを押した状態の左側面一部拡大図である。
【図４８】従来例に係る玩具銃の図４７のＢＢ断面図である。
【図４９】従来例に係る玩具銃のセフティオフ状態の左側面断面図である。
【図５０】従来例に係る玩具銃のセフティがオフ状態で、セフティロック解除ボタンを押した状態の左側面一部拡大図である。
【図５１】従来例に係る玩具銃の図５０のＣＣ断面図である。
【発明を実施するための形態】
【００２４】
この発明の実施の一形態に係る実施例を、この発明の実施例を図示する図面に基づいて
説明する。
図１、図２、図３、図４に実施例の外観を図示する。１１は、玩具銃である。１２は、玩具銃１１のグリップ部である。玩具銃１１には、玩具銃の骨格をなす部品であるフレーム１３を中心部に取り付けている。
２１は、セフティレバーである。セフティレバー２１は、セフティレバー右２１１とセフティレバー左２１２とからなる。セフティレバー２１は、マニュアルセフティの本体であって、グリップ部１２のフレーム１３を挟んだ上部左右にそれぞれセフティレバー右２１１とセフティレバー左２１２とを取り付ける。
【００２５】
この発明の実施例は、トリガー３１からハンマー５１までの作動に連動する作動系については、図５、図６、図７に図示する内部構造を有する。３１はトリガー、３２はトリガー軸、３３はトリガースプリングである。トリガースプリング３３は、トーションスプリングからなる。
トリガー３１は、トリガー軸３２を中心に回動可能であり、トリガースプリング３３により図７図中反時計回転方向に付勢する。
３４は、トリガーバーである。図６に図示するように、トリガーバー３４は、トリガー３１の上方にあるトリガーバー軸３５が、トリガー３１のトリガーバー軸受け部３６に入ることでトリガー３１と連結する。３７は、トリガーバー３４先端に設けるシアー押し部である。
トリガー３１を引くとトリガーバー３４は玩具銃１１前方側（銃口側、図７図中左側）へ動く。
【００２６】
図１２、図６、図７等に図示する４１は、シアーである。４２はシアー軸、４３はトリガーバー係合部兼セフティレバー右係合部、４４はセフティレバー左係合部、４５はハンマー係止部である。
シアー軸４２は、シアー４１に銃身方向に対して直角にすなわち玩具銃１１の幅方向に、玩具銃１１本体に取り付ける。シアー４１の上側には、中央にハンマー係止部４５、その両端にセフティレバー左係合部４４、トリガーバー係合部兼セフティレバー右係合部４３を設ける。
シアー４１は、シアー軸４２を中心に回動可能に玩具銃１１本体に取り付け、シアースプリング（図示せず）により図７図中反時計回転方向に付勢している。
【００２７】
トリガーバー係合部兼セフティレバー右係合部４３は、トリガー３１を引いた場合には、トリガーバー３４のシアー押し部３７と係合する。また、セフティオン状態の場合は、図２３に図示するようにセフティレバー右２１１のシアー係止部２５と係合する。
５１は、ハンマーである。ハンマー５１は、ハンマー軸５２により回動自在にトリガーバー３４に取り付ける。ハンマー５１は、ハンマー軸５２を中心に回動可能であり、ハンマースプリング（図示せず）により図７図中反時計回転方向に付勢している。ハンマー５１の作動により、ボンベ内のガスは、ガス通路内へ流入させる。図５に図示する５４は、ハンマー５１の銃口側に設けられたヒットピン押圧部である。
図６、図２３、図２４、図３７、図３８に図示する５３は、ハンマー５１の銃口側先端に設けられたシアー係合部である。
【００２８】
シアー４１は、図６、図２３、図２４、図３７、図３８に図示するように、シアー４１のハンマー係止部４５で、ハンマー５１のシアー係合部５３に当接して、ハンマー５１と係止している。
シアー４１のセフティレバー左係合部４４は、図２４に図示するようにセフティオン状態のときには、セフティレバー左２１２のシアー係止部２５と係合する。
【００２９】
マニュアルセフティの構造について説明する。
この発明の実施例に係る玩具銃１１の元になった実銃のセフティレバーは銃の左右両側にある。そのため、図１乃至図４に図示するように、この発明に係る実施例の玩具銃１１にもセフティレバー２１は、銃口側から見て左右両側に設け、セフティレバー右２１１とセフティレバー左２１２とからなる。ここで左右とは、銃後端部から玩具銃を見たときの左右のことをいう。
図１、図２に図示する実施例のセフティレバー右２１１とセフティレバー左２１２ともに、セフティレバー２１は、初期状態にあってはセフティが作動した状態（セフティオンの状態）である。
【００３０】
マニュアルセフティを解除して弾丸発射可能な状態にする（セフティをオフ状態にする）には、図３、図４に図示するように、セフティレバー右２１１とセフティレバー左２１２ともに、セフティレバー２１を指で押し下げ、下方に回動させるだけでよい。
この操作方法は、実銃と同様であり、実銃との近似性が従来の玩具銃より高まる。
図８乃至図１１、図１３に図示するように、セフティレバー２１の主な構成部品は、表側をあらわす図８、裏側をあらわす図９に図示するセフティレバー左２１２単体と、表側をあらわす図１０、裏側をあらわす図１１に図示するセフティレバー右２１１単体である。
【００３１】
図９、図１１に図示する２２は、セフティクリック用凹部である。セフティクリック用凹部２２は、セフティレバー右２１１とセフティレバー左２１２のセフティレバー２１の裏側上部に凹状に穿つ。
図１３に図示するように、セフティクリック用凹部２２には、セフティクリック２２１及びセフティクリックスプリング２２２が入る。セフティクリックスプリング２２２は、セフティレバー右２１１とセフティレバー左２１２を、玩具銃１１の外側へそれぞれ反対方向に付勢している。
【００３２】
図９、図１１他に図示する２３は、セフティレバー軸である。２４はセフティガイドである。セフティガイド２４は、セフティレバー右２１１とセフティレバー左２１２を連結させる。
図９、図１１、図２３、図２４、図３７、図３８他に図示する、２５は、シアー係止部である。シアー係止部２５は、セフティレバー右２１１とセフティレバー左２１２のセフティガイド２４左右の付け根付近上方に設ける。シアー係止部２５は、マニュアルセフティオン状態時にシアー４１のトリガーバー係合部兼セフティレバー右係合部４３、および、セフティレバー左係合部４４を係止する。
Ｃは、接触部である。接触部Ｃは、セフティレバー２１の下端内側に設ける。
【００３３】
この発明の実施例では、セフティレバー左２１２のセフティレバー軸凸部２３１およびセフティガイド凸部２４１を、セフティレバー右２１１のセフティレバー軸凹部２３２およびセフティガイド凹部２４２に挿入して組み合わせる。同組立により、セフティレバー右２１１とセフティレバー左２１２左右一対に組み立て、セフティレバー軸２３とセフティガイド２４とをそれぞれ一体に組み立てる。
この実施例の形状では、セフティレバー軸２３とセフティガイド２４が一体に組み立てられているため、セフティレバー右２１１かセフティレバー左２１２かのどちらかのセフティレバー２１を操作すると、反対側のセフティレバーも連動して動く。
例えば左側のセフティレバー左２１２を押し下げると、右側のセフティレバー右２１１も同じように下方に回動することになる。
【００３４】
図１４に図示する、２６は、セフティフックである。セフティフック２６は、セフティレバー右係止部２６１およびセフティレバー左係止部２６２を備える。セフティレバー右係止部２６１およびセフティレバー左係止部２６２は、セフティフック２６内側部分よりも突起させる。
セフティフック２６は、玩具銃１１本体のフレーム１３に設ける。
左右のセフティレバー軸２３には、それぞれセフティフック係合部２３３からなる係止部が設けられ、セフティフック２６と係合可能である。
【００３５】
すなわち、図８乃至図１１、図１８に図示する２３３は、セフティフック係合部である。図示するように、セフティフック係合部２３３は、セフティレバー右２１１、セフティレバー左２１２の各セフティレバー軸２３に設けてある。そして、セフティフック２６のセフティレバー左係止部２６２とセフティレバー左２１２のセフティフック係合部２３３が係合している為、セフティレバー左２１２はそれ以上玩具銃１１の外側に移動しない。
セフティレバー右２１１についても同様である。セフティフック２６のセフティレバー右係止部２６１とセフティレバー右２１１のセフティフック係合部２３３が係合している為、セフティレバー右２１１はそれ以上玩具銃１１の外側に移動しない。
【００３６】
図１３、図１８に図示するように、セフティレバー右２１１のセフティレバー軸２３の中に付勢手段であるセフティレバー軸スプリング２３４を入れる。セフティレバー軸スプリング２３４はセフティレバー左２１２とセフティレバー右２１１を玩具銃１１の外側へ、それぞれ反対方向へ付勢している。
２４３は、付勢手段であるセフティガイドスプリングである。セフティレバー右２１１のセフティガイド２４の中にセフティガイドスプリング２４３を入れる。セフティガイドスプリング２４３はセフティレバー左２１２とセフティレバー右２１１を銃の外側へ、それぞれ反対方向へ付勢している。
【００３７】
すなわち、付勢手段であるセフティレバー軸スプリング２３４と付勢手段であるセフティガイドスプリング２４３とで、セフティレバー左２１２とセフティレバー右２１１を銃の外側へ、それぞれ反対方向へ付勢している。
そのため、フレーム１３とセフティレバー右２１１との間には、スペースＡを有する。フレーム１３とセフティレバー左２１２との間には、スペースＢを有する。
フレーム１３には、図２０に図示するように、スペースＡ、スペースＢ部分より下側に、スペースＡ、スペースＢのフレーム１３面より外側に突起した突起部Ｄを設ける。
【００３８】
図１８に図示するように、セフティがオン状態の時に、セフティレバー左２１２又はセフティレバー右２１１に、玩具銃１１の外側から内側方向へ、セフティレバー軸スプリング２３４とセフティガイドスプリング２４３の力以上の力が加えられると、セフティレバー左２１２又はセフティレバー右２１１は銃の内側方向へ移動可能である。
この機構のため、玩具銃１１を落下させてセフティレバー２１が地面に衝突すると、セフティレバー２１は玩具銃１１の内側に移動する。すなわち、セフティレバー２１は引っ込む。
【００３９】
例えば、図２５、図２６に図示するようにセフティがオン状態の時に、玩具銃１１の左側を下にして落下させると、玩具銃１１の重量と落下の衝撃がセフティレバー左２１２にかかる。セフティが作動しているときすなわち、セフティレバー２１がオン状態のとき、銃を落下させてセフティレバー左２１２が地面に衝突しても、図２６に図示するように、セフティレバー左２１２が玩具銃１１の内側へ移動する。
フレーム１３とセフティレバー右２１１との間のスペースＡは有するが、フレーム１３とセフティレバー左２１２との間のスペースＢは無くなる。
【００４０】
例えば、図２９、図３０に図示するようにセフティがオン状態の時に、玩具銃１１の右側を下にして落下させると、玩具銃１１の重量と落下の衝撃がセフティレバー右２１１にかかる。
セフティが作動しているときすなわち、セフティレバー２１がオン状態のとき、銃を落下させてセフティレバー左２１２が地面に衝突しても、図３０に図示するように、セフティレバー右２１１が玩具銃１１の内側へ移動する。
【００４１】
すると、フレーム１３とセフティレバー右２１１との間のスペースＡは無くなるが、フレーム１３とセフティレバー左２１２との間のスペースＢは有する。
セフティレバー右２１１とセフティレバー左２１２の移動によって、玩具銃１１の落下によりセフティレバー２１に大きな衝撃が加わったとしても、セフティレバー軸スプリング２３４やセフティガイドスプリング２４３によってセフティレバー２１に加えられた力が減衰させられる。
【００４２】
この発明の実施例では、セフティレバー軸スプリング２３４とセフティガイドスプリング２４３はある程度反発力が大きいものを使用する。それにより、セフティレバー２１をユーザーが手で操作するときにはセフティレバー２１は銃の内側へは移動しない。
図１５、図１６に図示するように、セフティオン状態の際にセフティレバー右２１１とセフティレバー左２１２が銃の内側へ移動できるように、フレーム１３の一部であるセフティオン状態のときセフティレバー２１がフレーム１３を覆っているフレーム１３表面箇所Ｅを、少し凹ませている。
【００４３】
マニュアルセフティのオン、オフ状態の切り替えの作動は、セフティレバー軸２３を中心にセフティレバー２１を回動させておこなう。
マニュアルセフティがオン状態をとるときは、セフティレバー２１を回動させ自由端である玩具銃１１前方側を上側に移動する。セフティレバー２１の内側下端に位置する接触部Ｃは、フレーム１３のスペースＡ、スペースＢのフレーム１３面よりより外側に突起する突起部Ｄに非接触となる。
図２６、図２８、図３０、及び図３２に図示するように、セフティがオン状態のとき、フレーム１３の凹みとセフティレバー２１が嵌合するため、セフティレバー２１は玩具銃１１の内側へ動くことができる。
【００４４】
セフティレバー２１が玩具銃１１の内側へ移動した状態でセフティレバー２１をオフ状態にしようとしても、図２８、図３２に図示するように、セフティレバー２１の下部分Ｃとフレーム１３のＤが干渉するためセフティをオフ状態にはできないので、落下の衝撃で暴発することがない。
【００４５】
マニュアルセフティをオフ状態にするときには、セフティレバー２１を回動させ自由端である玩具銃１１前方側を下側に移動する。セフティレバー２１の内側に位置する接触部Ｃは、フレーム１３のスペースＡ、スペースＢのフレーム１３面よりより外側に突起する突起部Ｄに接触する。
マニュアルセフティがオフ状態のときは、図３４に図示するように、セフティレバー２１の内側に位置する接触部Ｃが、フレーム１３のスペースＡ、スペースＢのフレーム１３面よりより外側に突起する突起部Ｄに干渉するため、この状態ではセフティレバー２１は、玩具銃１１の内側へは動かない。
【００４６】
この発明の実施形態における、弾丸の発射までの作動について説明する。
（１）トリガー３１を引いても弾丸発射ができない、図２３、図２４に図示するセフティオン状態について説明する。
トリガー３１を引こうとする。すると、図６、図７においてトリガーバー３４が前方へ移動しようとする。
すると、トリガーバー３４のシアー押し部３７がシアー４１に当接し、シアー４１を押して回動しようとする。
【００４７】
しかし、図２３、図２４に図示するように、セフティレバー２１のシアー係止部２５が、シアー４１のトリガーバー係合部兼セフティレバー右係合部４３、セフティレバー左係合部４４と係合している。そのため、シアー４１は、セフティレバー２１に当たってシアー４１が動かず、シアー４１が回動できない。
すなわち、トリガー３１を引いても、トリガーバー３４のシアー押し部３７が、シアー４１のトリガーバー係合部兼セフティレバー右係合部４３を押すことができず、トリガー３１が引ききれない。
【００４８】
シアー４１によって動きが止められているハンマー５１は、止まった状態のままで、回動できない。そのため、弾丸は発射されない。
この実施の形態では、シアー係止部２５がシアー４１に係止してハンマー５１の作動を停止するが、セフティレバー２１は、連動するトリガー３１からシアー４１を経てハンマー５１までのいずれかの部材との接触及び非接触を選択可能であればよい。
【００４９】
（２）トリガー３１を引けば弾丸発射が可能な、図３７、図３８に図示するセフティオフ状態について説明する。
実施例に係る玩具銃１１のセフティがオフ状態の左側面断面図である図５において、６１はヒットピン、６２はバルブである。７１はガスボンベ、６４はガス通路、６５はインナーバレル、６６はシリンダブロック、６７はスライドである。図５においては、シアー４１のハンマー係止部４５とハンマー５１のシアー係合部５３は、図３７、図３８に図示するように係合しているため、ハンマー５１は静止している。
【００５０】
図５から、トリガー３１を引く。すると、図６、図７に図示するトリガーバー３４が前方へ移動する。
トリガーバー３４のシアー押し部３７がシアー４１に当接し、シアー４１を押して回動する。
図３７、図３８における、セフティレバー２１のシアー係止部２５と、シアー４１のトリガーバー係合部兼セフティレバー右係合部４３、セフティレバー左係合部４４と係合していないため、セフティレバー２１がシアー４１とは係合していない。
【００５１】
そのため、図６、図７に図示するように、トリガー３１を引くと、トリガー３１は、トリガー軸３２を回動中心として図５において反時計回りに回動し、トリガー３１が回動すると、トリガーバー３４が玩具銃前方側へ移動する。トリガーバー３４の玩具銃前方側への移動により、トリガーバー３４のシアー押し部３７がシアー４１のトリガーバー係合部兼セフティレバー右係合部４３を玩具銃前方側へ押すことができる。そのため、シアー４１が、シアー軸４２を中心に図５では反時計回りに回動する。
シアー４１が、シアー軸４２を中心に図５では反時計回りに回動すると、シアー４１のハンマー係止部４５とハンマー５１のシアー係合部５３との係合が外れる。
すると、ハンマー５１は、ハンマー軸５２を中心に回動することが可能になる。
【００５２】
ハンマー５１が回動して、ハンマー５１のヒットピン押圧部５４がヒットピン６１に当たり、ヒットピン６１を玩具銃１１前方へ移動させる。
ヒットピン６１はバルブ６２を銃前方へ移動させる。すると、バルブ６２が玩具銃１１前方へ移動し、
バルブ６２のパッキン密着部６９とパッキン６８の密着が解かれるとバルブ６２内の気密が解かれる。このとき、ガスボンベ７１内のガスはバルブボディ６３内に既に流入している。
【００５３】
次いで、バルブボディ６３内のガスが、バルブ６２内のガス通路６４に流入する。すると、バルブ６２内のガス通路６４からインナーバレル６５方向にガスが流出する。
インナーバレル６５後端部にある弾丸はガス圧で前方に移動し、弾丸発射する。弾丸発射と同時にガスはシリンダブロック６６内にも流入する。
【００５４】
シリンダブロック６６内のガス圧により、シリンダブロック６６が組み込まれたスライド６７が銃後方へ移動してブローバックを生ずる。
シリンダブロック６６がトリガーバー３４に当接し、トリガーバー３４を回動させる。
トリガーバー３４とシアー４１の係合が解かれ、シアー４１は元の位置に戻る。トリガー３１、ハンマー５１は各々付勢によって元の位置に戻る。
すると、シアー４１が再びハンマー５１と係合する。
【００５５】
従来の玩具銃では、セフティロック解除ボタンを押し込んだ上で、セフティレバーを回動させるという、実銃とは異なる操作が必要であったところである。
この発明の実施例では、マニュアルセフティをオン状態にした際、セフティレバー２１をロックしない。したがってセフティロック解除ボタンが必要ないため、セフティロックもセフティロック解除ボタンも存在しない。
マニュアルセフティをオン状態からオフ状態へするときの、セフティレバー２１の操作方法は、図３、図４に矢示するように、セフティレバー２１を押し下げるだけで済む。
この操作方法は、元になる実銃のマニュアルセフティの操作方法と同じである。外観も元になった実銃と同じである。
【符号の説明】
【００５６】
１１    玩具銃
１３    フレーム
２１    セフティレバー
３１    トリガー
４１    シアー
５１    ハンマー
７１    ガスボンベ
２３４  付勢手段（セフティレバー軸スプリング）
２４３  付勢手段（セフティガイドスプリング）
Ｗ      弾
【図１】
2019184084.tif 000003
【図２】
2019184084.tif 000004
【図３】
2019184084.tif 000005
【図４】
2019184084.tif 000006
【図５】
2019184084.tif 000007
【図６】
2019184084.tif 000008
【図７】
2019184084.tif 000009
【図８】
2019184084.tif 000010
【図９】
2019184084.tif 000011
【図１０】
2019184084.tif 000012
【図１１】
2019184084.tif 000013
【図１２】
2019184084.tif 000014
【図１３】
2019184084.tif 000015
【図１４】
2019184084.tif 000016
【図１５】
2019184084.tif 000017
【図１６】
2019184084.tif 000018
【図１７】
2019184084.tif 000019
【図１８】
2019184084.tif 000020
【図１９】
2019184084.tif 000021
【図２０】
2019184084.tif 000022
【図２１】
2019184084.tif 000023
【図２２】
2019184084.tif 000024
【図２３】
2019184084.tif 000025
【図２４】
2019184084.tif 000026
【図２５】
2019184084.tif 000027
【図２６】
2019184084.tif 000028
【図２７】
2019184084.tif 000029
【図２８】
2019184084.tif 000030
【図２９】
2019184084.tif 000031
【図３０】
2019184084.tif 000032
【図３１】
2019184084.tif 000033
【図３２】
2019184084.tif 000034
【図３３】
2019184084.tif 000035
【図３４】
2019184084.tif 000036
【図３５】
2019184084.tif 000037
【図３６】
2019184084.tif 000038
【図３７】
2019184084.tif 000039
【図３８】
2019184084.tif 000040
【図３９】
2019184084.tif 000041
【図４０】
2019184084.tif 000042
【図４１】
2019184084.tif 000043
【図４２】
2019184084.tif 000044
【図４３】
2019184084.tif 000045
【図４４】
2019184084.tif 000046
【図４５】
2019184084.tif 000047
【図４６】
2019184084.tif 000048
【図４７】
2019184084.tif 000049
【図４８】
2019184084.tif 000050
【図４９】
2019184084.tif 000051
【図５０】
2019184084.tif 000052
【図５１】
2019184084.tif 000053